(57)【特許請求の範囲】
【請求項１】
シートロール積載用パレットにおいて、積載すべきシートロールの外周面に実質的に一致した凹面形状を有する荷受け部表面を備えた荷受け部を上面に有し、該荷受け部を支持するために複数個のポスト部が、前記荷受け部表面から底面へと延びるようにして設けられており、前記荷受け部表面は、前記ポスト部の各々に対応する位置において部分的に凹形状とされており、前記上面の少なくとも両サイドには、凸形状のリブが設けられており、前記底面には、前記凸形状のリブと対応する位置にあって該凸形状のリブに対して嵌合しうる凹形状のリブが設けられており、樹脂材料にて一体的に中空成形されたことを特徴とするシートロール積載用パレット。
【発明の詳細な説明】
【０００１】
【発明の属する技術分野】
本発明は、食品包装材フィルム、ロール紙等の大きな荷重を有する円筒形状物の積載用パレットに関し、特に、シートロール積載用パレットに関するものである。
【０００２】
【従来の技術】
従来、ロール状物の積載用パレットには、木製のものがあり、この従来の木製のものでは、積載物を安定させるため平パレット表面に別部材を固定して使用している。
【０００３】
【発明が解決しようとする課題】
しかし、平パレット表面に別部材を固定した従来の木製のパレットでは、積載物が食品包装材等のフィルムロールの場合、パレットが木製のため荷受け部を円筒状にするのは困難であり、ロールとパレット接触部に偏荷重が作用しフィルムが白化する問題がある。その対策として、従来、ゴム材等の緩衝材を貼り付けているが、この場合、コストが高くなり、衛生的にも問題があった。
【０００４】
また、従来、発泡樹脂を使用したインジェクション製パレットもあるが、強度が弱く、積荷搬送時において、フォークリフトの爪で突いたりすると、簡単に破損し、コストも高いものであった。
【０００５】
また、従来の積載用パレットは、シートロールを積載していない、いわゆる、空パレット時において、それらパレットを整然とした状態で保管しておくための確実な手段を有していなかった。
【０００６】
本発明の目的は、前述したような従来の技術の問題点を解消しうるようなシートロール積載用パレットを提供することである。
【０００７】
【課題を解決するための手段】
本発明によるシートロール積載用パレットは、積載すべきシートロールの外周面に実質的に一致した凹面形状を有する荷受け部表面を備えた荷受け部を上面に有し、該荷受け部を支持するために複数個のポスト部が、前記荷受け部表面から底面へと延びるようにして設けられており、前記荷受け部表面は、前記ポスト部の各々に対応する位置において部分的に凹形状とされており、前記上面の少なくとも両サイドには、凸形状のリブが設けられており、前記底面には、前記凸形状のリブと対応する位置にあって該凸形状のリブに対して嵌合しうる凹形状のリブが設けられており、樹脂材料にて一体的に中空成形されたことを特徴とする。
【０００８】
【発明の実施の形態】
次に、添付図面に基づいて、本発明の実施の形態について、本発明をより詳細に説明する。
【０００９】
図１は、本発明の一実施例としてのシートロール積載用パレットの平面図であり、図２は、図１のパレットの正面図であり、図３は、図１のパレットの側面図であり、図４は、図１のパレットの底面図であり、図５は、図１のＡ−Ａ線断面図であり、図６は、図１のＢ−Ｂ線断面図であり、図７は、図１のＣ−Ｃ線断面図である。
【００１０】
これら図に示されるように、本発明のこの実施例のシートロール積載用パレット１０は、側部脚１１Ａおよび中央脚１１Ｂを底面の側に設け、積載すべきシートロールの外周面に実質的に一致した凹面形状を有する荷受け部表面１２を備えた荷受け部を上面の側に設けるようにして、例えば、高密度ポリエチレンの如き樹脂材料で中空成形にて一体的に成形されている。図１、図４、図６および図７によく示されるように、この実施例のパレット１０には、荷受け部表面１２を有した荷受け部を支持するためにマトリクス状に分散配置された複数個、この実施例では、２０個のポスト部１３Ａ、１３Ｂおよび１４Ａが、荷受け部表面１２と底面側との間に延びるようにして設けられている。
【００１１】
図１および図６によく示されているように、中央部におけるポスト部は、上面側から延びるポスト部分１３Ａと底面側から延びるポスト部分１３Ｂとからなり、ポスト部分１３Ａは、荷受け部表面１２の中央部に部分的に形成された凹形状の細長凹部１２Ｂの底面に開いている。そして、ポスト部分１３Ａとポスト部分１３Ｂとは、図６によく示されるように、上面と底面とのほぼ中間部にて、互いに接続される形状とされている。
【００１２】
一方、中央部の両側に分散配置されたポスト部１４Ａは、図１および図７によく示されるように、底面側から上面の側に延びるように形成されていて、これら、ポスト部１４Ａの頂部は、荷受け部表面１２の一般面より凹んだ位置に形成されており、したがって、荷受け部表面１２は、ポスト部１４Ａの各々に対応する位置において凹形状とされた凹部１２Ａを有している。もし、ポスト部の位置する荷受け部表面１２に、前述したような細長凹部１２Ｂおよび凹部１２Ａを形成しない場合には、その荷受け部表面１２に直接的にポスト部の頂部が位置することになる。すると、この荷受け部表面１２上にフィルムシートロールを積載するとき、その荷重のためポスト部の頂部が、ポスト部のない荷受け部表面より若干突き出すようになってしまう。これでは、それら突き出したポスト部に当接しているシートロールのシート部分が保管中の長い期間に亘って大きな応力を受けて白化してしまう。凹部１２Ａの広さおよび深さは、シートロール積載時における、このような白化の問題を起こしてしまうポスト部の突き出しを防止する程度のものとするのがよい。また、細長凹部１２Ｂの広さおよび深さは、シートロール積載時における、このような白化の問題を起こしてしまうポスト部の突き出しを防止すると共に、中央脚成形に伴う成形樹脂量を考慮してその部分での樹脂量不足を来さない程度のものとするのがよい。
【００１３】
この実施例のパレット１０においては、図１、図２、図５および図６によく示されるように、上面の両サイドに、凸形状の凸リブ１５が設けられている。また、底面には、図４および図６によく示されるように、上面側の凸リブ１５と対応する位置にあってその凸リブ１５に嵌合しうるような凹形状の凹リブ１６が設けられている。
【００１４】
さらにまた、この実施例のパレット１０においては、図２および図４によく示されるように、底面側の四隅付近に、積載すべきシートロールを固定保持するためのロープ掛け部１７が形成されている。
【００１５】
次に、このような構造を有するシートロール積載用パレット１０の使用方法について、図８および図９を参照して簡単に説明する。先ず、図８は、パレット１０の荷受け支持部の荷受け部表面１２上に、食品包装材フィルム、ロール紙等のシートロール１を載置して、ロープ掛け部１７に掛けた２本のロープ２にて固定保持した状態を斜視図にて略示している。シートロール１は、この状態にて倉庫等の適当な保管場所に安定に保管されうる。また、保管場所から他の場所へと輸送したい場合には、例えば、フォークリフトの爪を、パレット１０の側部脚１１Ａと中央脚１１Ｂとの間の空間へと挿入して、引き上げるようにすれば、そこにシートロール１を積載した状態のまま容易に搬送することができる。
【００１６】
図９は、シートロールを積載していない、いわゆる、空パレット時において、パレット１０を積み重ねて保管しておくための状態を例示している断面図である。この図９に示されるように、この実施例のパレット１０は、不使用時には、最下部のパレット１０の上面の凸リブ１５が、別のパレット１０の底面の対応する凹リブ１６に嵌合するようにして、その別のパレット１０を積み重ねる。同様にして、その別のパレット１０の上にさらに別のパレット１０を積み重ねることができる。このようにして、使用していないパレット１０を整然とした状態にて保管しておくことができる。
【００１７】
【発明の効果】
本発明のパレットは、中空成形により荷受け部を円筒形状としシートロール等の積載物の安定した固定を可能とし、また、重量物を支えるためのポスト部を内蔵し、これらポスト部に当たる荷受け部表面は部分的に凹形状とすることで荷重の分散をはかり均一な荷重分布にすることにより、積載したシートロールのフィルムの白化を防止することができる。
【００１８】
本発明のパレットは、樹脂材料で一体的に中空成形されているため、衛生面にも優れており、樹脂材料として高密度ポリエチレン等を使用すれば、充分な強度も確保することができる。
【００１９】
また、本発明のパレットは、中空成形されるので、インジェクション製に比べて安価な金型費ですみ、成形後の後加工もほとんど不用なため、製品も安価である。
【００２０】
さらにまた、空パレットの整然なる積み重ね保管が可能で物流コストの低減ができる。
【図面の簡単な説明】
【図１】本発明の一実施例としてのシートロール積載用パレットの平面図である。
【図２】図１のパレットの正面図である。
【図３】図１のパレットの側面図である。
【図４】図１のパレットの底面図である。
【図５】図１のＡ−Ａ線断面図である。
【図６】図１のＢ−Ｂ線断面図である。
【図７】図１のＣ−Ｃ線断面図である。
【図８】本発明のパレットの使用状態を示す概略斜視図である。
【図９】本発明のパレットの不使用時の保管方法例示する断面図である。
【符号の説明】
１  シートロール
２  ロープ
１０  パレット
１１Ａ  側部脚
１１Ｂ  中央脚
１２  荷受け部表面
１２Ａ  凹部
１２Ｂ  細長凹部
１３Ａ  ポスト部分
１３Ｂ  ポスト部分
１４Ａ  ポスト部
１５  凸リブ
１６  凹リブ
１７  ロープ掛け部
【図１】
0003575887.tif 000002
【図２】
0003575887.tif 000003
【図３】
0003575887.tif 000004
【図４】
0003575887.tif 000005
【図５】
0003575887.tif 000006
【図６】
0003575887.tif 000007
【図７】
0003575887.tif 000008
【図８】
0003575887.tif 000009
【図９】
0003575887.tif 000010